(57)【要約】【課題】  発信ボタンおよび登録設定用の押しボタンダイヤルの配置を、操作しやすく、かつ、誤操作されにくいようにしたメモリダイヤル式通信端末装置を提供する。【解決手段】  基台部の１の表面パネルに収容部が設けられ、モジュール化されて着脱可能なメモリダイヤルカートリッジ４が装着されている。蓋部２は、ヒンジ結合部３を支軸として折りたたまれる。メモリダイヤルカートリッジ４には、複数の発信ボタン４１ａ〜４１ｅが設けられている。メモリダイヤルカートリッジ４の裏面パネルには、メモリ登録用の押しボタンダイヤル部４３が設けられ、発信ボタン４１ａ〜４１ｅに割り付ける電話番号およびまたはメールアドレスを、内蔵されている記憶部に登録する。【選択図】図１
2005175928.tif 000002
【特許請求の範囲】
【請求項１】
メモリダイヤル部がモジュール化されて基台部に着脱自在に装着されたメモリダイヤル式通信端末機であって、
前記基台部は、表面パネル上に収容部が設けられ、
前記メモリダイヤル部の表面パネルには複数の発信ボタンが設けられ、
前記メモリダイヤル部の裏面パネルには登録用押しボタンダイヤルが設けられ、
前記登録用押しボタンダイヤルにより前記発信ボタンに割り付ける電話番号およびメールアドレスの少なくとも一方を登録する記憶部を有し、
前記メモリダイヤル部が前記収容部に装着されているときは、前記複数の発信ボタンが露出し、前記登録用押しボタンダイヤルが前記基台部に覆われた状態であり、電話またはメッセージの発信をメモリダイヤルのみで可能とし、
前記メモリダイヤル部が前記収容部から取り外されたときは、前記登録用押しボタンダイヤルが露出した状態となる、
ことを特徴とするメモリダイヤル式通信端末装置。
【請求項２】
加入者特殊番号用の発信ボタンが前記基台部の表面パネルに設けられ、
前記加入者特殊番号用の発信ボタンに割り付ける電話番号を登録する記憶部を有する、
ことを特徴とする請求項１に記載のメモリダイヤル式通信端末装置。
【請求項３】
内側に表示器を設けた蓋部を有し、
該蓋部は、前記基台部とヒンジ結合され、前記基台部の表面パネルおよび該表面パネル上の収容部に装着されたメモリダイヤル部を覆うように閉じられる、
ことを特徴とする請求項１または２に記載のメモリダイヤル式通信端末装置。
【請求項４】
前記複数の発信ボタンのいずれかに割り付けられた電話番号またはメールアドレスを発信者とする電話またはメッセージの着信を検出する着信検出手段と、
該着信検出手段により検出された発信者の電話番号またはメールアドレスに対応する発信ボタンを点灯により指示する着信報知手段、
を有することを特徴とする請求項１から３までのいずれか１項に記載のメモリダイヤル式通信端末装置。
【請求項５】
前記登録用押しボタンダイヤルは、電話番号およびまたはメールアドレスの手入力用の押しボタンダイヤルと兼用されるものであり、
前記メモリダイヤル部は、前記メモリダイヤル部が前記収容部から取り外された状態において、前記手入力用の押しボタンダイヤルを用いて入力された電話番号またはメールアドレスの相手先への発信を可能とするものである、
ことを特徴とする請求項１から４までのいずれか１項に記載のメモリダイヤル式通信端末装置。
【発明の詳細な説明】
【技術分野】
【０００１】
本発明は、発信ボタンを押すだけでメモリダイヤルに記憶された相手先に電話やメッセージを発信する、要介護者や高齢者向けの携帯電話機などの通信端末装置に関するものである。
【背景技術】
【０００２】
従来の高齢者向けの携帯電話機は、押しボタンを大きくしたり、文字を大きく表示したり、ワンプッシュで相手先に発信できる発信ボタンを備えたりしている。しかし、一般用の携帯電話機の筐体を前提として開発されたものであるため、高齢者や要介護者にとって十分使いこなせるものとはなっていない。
【発明の開示】
【発明が解決しようとする課題】
【０００３】
本発明は、上述した問題点を解決するためになされたもので、発信ボタンおよびメモリダイヤル登録設定用の押しボタンダイヤルの配置を、操作しやすくかつ誤操作しにくいようにしたメモリダイヤル式通信端末装置を提供することを目的とするものである。
【課題を解決するための手段】
【０００４】
本発明は、請求項１に記載の発明においては、メモリダイヤル部がモジュール化されて基台部に着脱自在に装着されたメモリダイヤル式通信端末機であって、前記基台部は、表面パネル上に収容部が設けられ、前記メモリダイヤル部の表面パネルには複数の発信ボタンが設けられ、前記メモリダイヤル部の裏面パネルには登録用押しボタンダイヤルが設けられ、前記登録用押しボタンダイヤルにより前記発信ボタンに割り付ける電話番号およびメールアドレスの少なくとも一方を登録する記憶部を有し、前記メモリダイヤル部が前記収容部に装着されているときは、前記複数の発信ボタンが露出し、前記登録用押しボタンダイヤルが前記基台部に覆われた状態であり、電話またはメッセージの発信をメモリダイヤルのみで可能とし、前記メモリダイヤル部が前記収容部から取り外されたときは、前記登録用押しボタンダイヤルが露出した状態となるものである。
従って、メモリダイヤル部が前記収容部に装着されているときに、表面パネルに登録用押しボタンダイヤルが露出しないので、発信ボタンを大きくするための余裕ができるので、操作しやすくなる。また、登録用押しボタンダイヤルを誤操作されるおそれがない。
メモリダイヤル部を取り替えることにより、実質的に多数の電話番号およびメールアドレスを登録することができる。その結果、本装置を利用するシーンに応じて、簡単に発信の相手先を変更できる。本装置と同様な他の装置との間で、複数のメモリダイヤル部を共有化し、その中から必要なものを装着したり交換したりすることができる。
なお、登録用押しボタンダイヤルにより前記発信ボタンに割り付ける電話番号およびメールアドレスの少なくとも一方を登録する記憶部を、メモリダイヤル部に内蔵させれば、メモリダイヤル部を取り替えが簡単になる。これに対し、上述した記憶部を基台部に内蔵させれば、メモリダイヤル部のハードウエア構成が簡単かつ安価になる。
【０００５】
請求項２に記載の発明においては、請求項１に記載のメモリダイヤル式通信端末装置において、加入者特殊番号用の発信ボタンが前記基台部の表面パネルに設けられ、前記加入者特殊番号用の発信ボタンに割り付ける電話番号を登録する記憶部を有するものである。
１１０番や１１９番などの加入者特殊番号は、全ての使用者に共通しかつ必要な相手先である。従って、これらの加入者特殊番号は、基台部の表面パネル側に設置することにより、登録変更が可能なメモリダイヤル部の発信ボタンに割り付ける電話番号およびメールアドレスの数を増やすことができる。
なお、加入者特殊番号用の発信ボタンに割り付ける電話番号を登録する記憶部は、基台部に内蔵させればよい。しかし、メモリダイヤル部の発信ボタンに割り付ける電話番号およびメールアドレスの少なくとも一方を登録する記憶部と共通化するために、メモリダイヤル部に内蔵させてもよい。
【０００６】
請求項３に記載の発明においては、請求項１または２に記載のメモリダイヤル式通信端末装置において、内側に表示器を設けた蓋部を有し、該蓋部は、前記基台部とヒンジ結合され、前記基台部の表面パネルおよび該表面パネル上の収容部に装着されたメモリダイヤル部を覆うように閉じられるものである。
従って、蓋をすれば誤って発信されるおそれがない。
【０００７】
請求項４に記載の発明においては、請求項１から３までのいずれか１項に記載のメモリダイヤル式通信端末装置において、前記複数の発信ボタンのいずれかに割り付けられた電話番号またはメールアドレスを発信者とする電話またはメッセージの着信を検出する着信検出手段と、該着信検出手段により検出された発信者の電話番号またはメールアドレスに対応する発信ボタンを点灯により指示する着信報知手段を有するものである。
従って、発信ボタンの点灯状態（点滅を含む）によって、着信があった電話あるいはメッセージの発信者を簡単に特定することができる。発信ボタンの近傍のパネルに設けた発光ダイオードを点灯させることにより、実質的に発信ボタンを指示することもできる。
【０００８】
請求項５に記載の発明においては、請求項１から４までのいずれか１項に記載のメモリダイヤル式通信端末装置において、前記登録用押しボタンダイヤルは、電話番号およびまたはメールアドレスの手入力用の押しボタンダイヤルと兼用されるものであり、前記メモリダイヤル部は、前記メモリダイヤル部が前記収容部から取り外された状態において、前記手入力用の押しボタンダイヤルを用いて入力された電話番号またはメールアドレスの相手先への発信を可能とするものである。
従って、メモリダイヤル部を収容部から取り外せば、メモリダイヤルに登録された相手先以外にも、電話番号またはメールアドレスの手入力による発信が可能となる。メモリダイヤル部が収容部に装着されていれば、誤って手入力による発信がなされるおそれがない。
【発明の効果】
【０００９】
本発明は、音声通信の発信、あるいは、メッセージ通信（メール）の発信が、発信ボタンを押すだけでできるだけでなく、メモリダイヤル部の構成が簡素化され、発信ボタンを大きく見やすくすることができるという効果がある。
メモリダイヤル部を必要に応じて取り替えることにより、実質的に多数の相手先を登録することができるという効果がある。
誤ってメモリダイヤルの登録が変更されるおそれがないという効果がある。
その結果、高齢者や要介護者でも本装置を用いて、簡単かつ容易に発信することができるから、高齢者や要介護者の仲間同士、高齢者や要介護者と介護者、家族、診療療機関とのコミュニケーションが密になり、関係者の肉体的精神的負担を軽減することができる。
【００１０】
本装置が、移動無線用の通信端末装置である場合は、本装置を携帯したり、車椅子に搭載したりすることができることから、使用者が移動するときにも使用できる。その結果、要介護者や高齢者が安心して外出できるようになり、行動範囲を広げることができる。緊急時等において電話やメッセージで自宅や介護サービスセンターに連絡可能となり、安否や所在の確認が容易になる。
【発明を実施するための最良の形態】
【００１１】
図１は、本発明の実施の一形態を説明するための携帯電話機の外観図である。
図１（ａ）は、この携帯電話機を斜め上から見た図であり、図１（ｂ）は右側面から見た図である。
図中、１は基台部（マウントベース）、２は蓋部、３はヒンジ結合部である。基台部１の表面パネルの左右方向、その結合部３の側に収容部が設けられている。
この収容部には、モジュール化されて着脱可能なメモリダイヤルカートリッジ４が装着（マウント）されている。従って、メモリダイヤルカートリッジ４を取り替えることができる。基台部の１の表面パネルおよびメモリダイヤルカートリッジ４の表面表示パネル面とは同一面上になるようされる。
蓋部２は、ヒンジ結合部３を支軸として折りたたまれ、基台部１の表面パネルおよびこの表面パネル上の収容部に装着されたメモリダイヤルカートリッジ４を覆うように閉じられる。
【００１２】
メモリダイヤルカートリッジ４の表面パネルには、複数の発信ボタン４１ａ〜４１ｅが設けられている。それぞれには、相手先ユーザーの電話番号およびメールアドレスの少なくとも一方が割り付けられている。
高齢者や介護者が使用することを考慮すると、発信先が３個では不足するため、５個の発信ボタン４１ａ〜４１ｅが設けられている。
誤操作防止のため、それぞれのボタンを、例えば、赤，緑，青，紫，黄というように色分けし、かつフラットな構造とし、２秒以上の長押しにて発信するものとする。
ワンプッシュで発信できるため、電話番号やメールアドレスをその都度入力したり内蔵するリストを呼び出したりする必要がなくなるから、操作が簡素化される。
【００１３】
一方、本装置に電話またはメッセージが着信されたときは、複数の発信ボタン４１ａ〜４１ｅのいずれかに割り付けられた電話番号およびまたはメールアドレスを発信者とする着信を検出する機能を有し、この着信検出機能により検出された発信者の電話番号およびまたはメールアドレスに対応する発信ボタン４１ａ〜４１ｅのいずれかを点灯（点滅）させるとともに、メッセージ読み上げおよび位置登録ボタン１４を点灯（点滅）させる着信報知機能を有している。なお、ボタンの近傍のパネルに設けた発光ダイオードを点灯させることにより、特定のボタンを指示することもできる。
【００１４】
基台部１の表面パネルにおいて、１１はマイクロフォン（送話器）、１２は左右のスピーカ（受話器）である。送話および受話は、例えば、スイッチ付きイヤフォンマイクロフォンをジャック１９に差し込んで行うこともできる。これらに増聴機能を持たせることにより、難聴者でも本装置を使用できる。なお、スイッチ付きイヤフォンマイクロフォンは、イヤフォンコードの途中のスイッチ部分にマイクロフォンを組み込んだものである。
【００１５】
メール用のメッセージ作成およびメッセージ読み取りは、メッセージ作成ボタン１３およびメッセージ読み上げおよび位置登録ボタン１４を操作して音声で行う。
すなわち、メッセージ作成ボタン１３が操作されることにより、音声／メッセージ変換機能（音声認識）が起動し、マイクロフォン１１等から入力された音声波形を音声認識することによりメッセージを作成する。
従って、ボタン操作を行うことなくメッセージを声で入力できる。加えて、予め決められた省略語を発音することにより、定型の挨拶文等を自動作成する機能を持たせてもよい。
図示の発信ボタン４１ａ〜４１ｅ、メッセージ作成ボタン１３およびメッセージ読み上げおよび位置登録ボタン１４のように、形状を、丸形、矩形、三角形のように異なる形状にすることにより、各ボタンを識別しやすくする。
【００１６】
一方、メッセージ読み上げおよび位置登録ボタン１４が操作されることにより、メッセージ／音声変換機能（音声応答）を起動し、先に、音声／メッセージ変換機能により作成されたメッセージ、または、着信したメッセージを音声波形に変換してスピーカ１２等に出力させる。従って、表示器２１に表示された文字を見ることなく、メッセージを耳で聞くことができる。
メッセージ読み上げおよび位置登録ボタン１４は、また、このボタンを３秒以上長押しすることにより、盗難防止機能を起動する。GPS（Global Positioning Systems）により本装置の位置が常時検出されている。この盗難防止機能が起動されると、所定距離以上、本装置が移動したときに、所定の相手先に自動発信して、本装置が移動した旨のメッセージあるいは、これに現在位置の情報を加えたメッセージを通知する。
【００１７】
１５，１６は加入者特殊番号用の発信ボタンであり、例えば、１１０番（警察）や１１９番（消防）など、携帯電話機の使用者全てに共通する相手先の電話番号およびまたはメールアドレスが登録された発信ボタンである。加入者特殊番号用の発信ボタン１５，１６に割り付ける電話番号を登録するメモリは、基台部１に内蔵させればよい。
しかし、メモリダイヤル部の発信ボタンに割り付ける電話番号およびメールアドレスの少なくとも一方を登録するメモリと共通化するために、メモリダイヤルカートリッジ４に内蔵されるメモリに記憶させてもよい。
基台部１の側面には、音量調整つまみ１７、表示器濃度調整つまみ１８、イヤフォンジャック１９が設けられている。
蓋部２の内面側には、基台部１に対抗して液晶パネルのような表示器２１と、カメラ２２が設けられ、上縁左端に移動通信用アンテナ２３が設けられている。
【００１８】
表示器２１には、メッセージ作成時に作成中のメッセージが表示され、メッセージ着信時には、受信したメッセージが表示され、音声読み上げと併用される。
表示器２１を用いて、カメラ２２（相手の携帯電話機）を用いたテレビ電話の映像を見たり、メッセージに添付された画像を見たり、位置登録サービスに関連した地図表示を見たりする。
基台部１の裏面には、電池（または蓄電池）収納口が設けられている。電源は、本装置を電動車椅子等に搭載する場合には、その電動車椅子等の蓄電池から電源の供給を受けるようにして、長時間の使用ができるようにする。
【００１９】
図２は、図１に示したメモリダイヤルカートリッジの第１の例を示す外観図である。
図２（ａ）はその表面パネル、図２（ｂ）はその裏面パネルである。
図中、図１と同様な部分には同じ符号を付して説明を省略する。
裏面パネルの長手方向中央部は凹部４２となり、ここに、メモリ登録専用の押しボタンダイヤル部４３が設けられている。
この押しボタンダイヤル部４３により、発信ボタン４１ａ〜４１ｅの各々に割り付ける電話番号およびメールアドレスの少なくとも一方を、メモリダイヤルカートリッジ４に内蔵されているメモリに登録する。登録内容としては、発信者名（ユーザー名）、電話番号、メールアドレス等である。
【００２０】
なお、発信ボタンに割り付ける電話番号およびメールアドレスの少なくとも一方を登録するメモリとして、基台部１に内蔵されるメモリを用いることも可能である。
ただし、押しボタンダイヤル部４３によりメモリダイヤルを登録する作業をする際に、メモリダイヤルカートリッジ４を基台部１に、ケーブルまたはワイヤレス（無線）で接続した上で登録設定操作をする必要がある。
その際、メモリダイヤルカートリッジ４が、固有のシリアル番号を付したROMを内蔵すれば、基台部１側では、個々のメモリダイヤルカートリッジ４を識別できるので、発信ボタン４１ａ〜４１ｅの番号に、この固有の識別番号を含めてメモリダイヤルを登録しておけば、メモリダイヤルカートリッジ４を問題なく取り替えることができる。
【００２１】
図示の押しボタンダイヤル部４３は、数字０〜９，特殊記号＊，＃のボタンが配列されている。＊，＃ボタンの所定の操作にメモリダイヤル登録機能や登録解除機能を持たせる。メールアドレスに英数字を使用する場合、これらのボタンで、従来の携帯電話機と同様に、アルファベット入力を可能にする。
４４はメモリダイヤルカートリッジ４を基台部１に装着したときに、基台部１側のコネクタと電気的、機械的に結合するためのコネクタ、４５はこのメモリダイヤルカートリッジ４に収納する電池の収納口である。
【００２２】
メモリダイヤルカートリッジ４が図１に示した基台部１の収容部に装着されたときは、簡単には外れないように、図示しない結合部あるいは結合部材を設ける。装着されたとき、メモリダイヤルカートリッジ４の発信ボタン４１ａ〜４１ｅは露出している。
メモリダイヤルカートリッジ４は、本装置の唯一の発信機能を有する部分であり、本装置はメモリダイヤル専用機となる。一方、押しボタンダイヤル部４３は基台部１の収容部の底面に覆われた状態となるので、誤ってメモリ登録や登録解除がなされることが防止される。
押しボタンダイヤル部４３の操作は、メモリダイヤルカートリッジを取り外した状態で行う。
メモリダイヤル登録件数が不足する場合、メモリダイヤルカートリッジ４を買い足し、これに新たな登録を行う。基台部１に装着するメモリダイヤルカートリッジ４をその都度交換して使用することにより、ケアマネージャー、介護ヘルパー、医療機関のメモリダイヤルカートリッジ、あるいは、家族、友人のメモリダイヤルカートリッジ等を用いて、多数の相手先にワンプッシュで発信することができる。
【００２３】
図３は、本発明の実施の一形態の、ハードウエア構成を示すブロック図である。
図中、制御部５１は、CPU（Central Processing Unit）を含み、メモリ（ROM/RAM：Read Only Memory/Random Access Memory）６４に記憶された制御プログラムによって、移動無線送受信部５５および音声信号処理部５６を制御し、電話系の発着信制御および非電話系のネットワーク接続制御を行う。
移動通信用アンテナ５４（図１の２３）で受信された受信信号は、移動無線送受信部５５で復調され、音声データをデジタル/アナログ変換して、スピーカ（受話器）５８から出力する。一方、マイクロフォン（送話器）５９から入力された音声信号をアナログ/デジタル変換して、移動無線送受信部５５に出力して変調し、移動通信用アンテナ５４から送信する。
５７はジャックであり、スピーカ５８，マイクロフォン５９とスイッチ付きイヤフォンマイク６０とを切り替える。
【００２４】
制御部５１は、また、表示部６１（図１の２１）、カメラ部６２、キー入力部（LED付き）６３、GPS受信部５３、およに、インターフェース６５に接続されている。
キー入力部６３は、図１におけるメッセージ作成ボタン１３、メッセージ読み上げおよび位置登録ボタン１４，加入者特殊番号用の発信ボタン１５，１６に対応する。
加入者特殊番号用の発信ボタン１５，１６）割り付ける電話番号は、上述したメモリ６４、あるいは、後述するメモリ６９に記憶される。
GPS受信部５３は、GPSを用いて本装置自身の位置を測位する。GPSアンテナは筐体内に内蔵されている。
インターフェース６５は、図２に示したコネクタ４４を介して、メモリダイヤルカートリッジ４側のインターフェース６７に接続される。
【００２５】
メモリダイヤルカートリッジ４側において、制御部６６は、CPU（Central Processing Unit）を含み、メモリ（ROM/RAM）６９に記憶された制御プログラムによって、キー入力部（LED付き）６８（図１，図２における発信ボタン４１ａ〜４１ｅ、押しボタンダイヤル部４３に対応する）の操作を検出し、メモリ６９、あるいは、メモリ６４をメモリダイヤル登録記憶部として、各発信ボタン４１ａ〜４１ｅに電話番号およびメールアドレスの少なくとも一方を登録する。
制御部６６は、また、キー入力部（LED付き）６８（図１，図２における発信ボタン４１ａ〜４１ｅ）の操作を検出し、メモリ６９から、電話番号またはメールアドレスを読み出して、インターフェース６７から基台部１側の制御部５１に出力する。
【００２６】
制御部５１は、インターフェース６５を介して入力された電話番号およびまたはメールアドレス、あるいは、キー入力部６３（加入者特殊番号用の発信ボタン１５，１６）
の操作を検出してメモリ６４から読み出された電話番号およびまたはメールアドレスを、移動無線送受信部５５に出力することにより発信動作をする。
キー入力部６３，６８のボタンを点灯させるLEDは、ボタン操作されたことを示すインジケータとなったり、また、着信時に着信検出を表示する報知器となったりする。
なお、メモリダイヤルカートリッジ４側においては、制御部６６を省略し、キー入力部６８，メモリ６９を基台部１側の制御部５１で一元的に制御してもよい。
【００２７】
図４は、本発明の実施の一形態の、電話モードでの動作例を示すフローチャートである。図３に示した制御部５１、制御部６６の連係動作により実行される。
図４（ａ）に示す電話発信時の動作は、図１に示した発信ボタン４１ａ〜４１ｅのいずれかの押圧（２秒以上の長押し）を検出することにより起動する。
Ｓ７１において、押圧された特定の発信ボタンの登録名（ユーザー名や電話番号、メールアドレスなど）を読み上げる。
Ｓ７２において、特定の発信ボタンの再押圧を検出したときは、Ｓ７３において、特定の発信ボタンに登録された電話番号を相手先として発呼する。
Ｓ７４において、相手側の応答があればＳ７５に処理を進め通話状態になる。その後、Ｓ７６において、起動時の発信ボタンが再押圧されたか、相手側の終話が検出されたときは、Ｓ７７の呼切断を行う。
【００２８】
図４（ｂ）に示す電話着信時の動作は、呼び出し信号の検出で起動する。
説明を簡単にするため、メモリダイヤルに登録されている発信先の電話番号からのみ、呼び出しがあるものとして説明する。
Ｓ８１において、着信メロディ，着信アナウンス等の着信表示を行う。
また、呼び出し時に通知される発信元を検出し、この発信元の電話番号がメモリダイヤルに登録されている発信ボタンがあるか否かを判定する。該当する発信ボタンがあれば、そのボタンを点灯（点滅）させる。
Ｓ８２において、該当する発信ボタンに登録された登録名を読み上げる。
【００２９】
Ｓ８３において、本装置が自動着信（自動応答）モードに設定されていたときは、Ｓ８４に処理を進め、自動的に通話状態になる。発信者は、マイクロフォン１１により収音される本装置の周囲音を聞いたり、スピーカ１２から周囲にいる人を呼んだりできる。
なお、この自動着信の設定の有無は、発信者ごとにメモリダイヤルに登録しておくことができる。自動着信して通話状態になるまでの、呼び出し音の回数を任意に設定できる。
【００３０】
Ｓ８３において、本装置が自動着信設定でなく、スイッチ付きイヤフォンマイクロフォンがジャック１９に差し込まれていないとき、Ｓ８５において、呼び出しを報知している発信ボタンの押圧が検出されれば、Ｓ８４の通話に処理を進める。検出しないときには、Ｓ８６において発信元の切断を判定し、切断があればＳ９０の終話に進むが、なければ、Ｓ８５に処理を戻す。
一方、Ｓ８３において、本装置が自動着信設定でなく、かつ、スイッチ付きイヤフォンマイクロフォンがジャック１９に差し込まれていることが検出されているときは、Ｓ８７に処理を進め、イヤフォンマイクロフォンのスイッチの押圧が検出されれば、Ｓ８４の通話に処理を進める。検出されないときは、Ｓ８６と同様に、Ｓ８８において発信元の切断があったか否かを判定する。
通話状態中、Ｓ８９において、発信元に対応する発信ボタンの押圧等があったときは、Ｓ９０に処理を進め終話状態になる。
【００３１】
図５は、本発明の実施の一形態の、メッセージ（メール）モードでの動作例を示すフローチャートである。図３に示した制御部５１、制御部６６の連係動作により実行される。
説明を簡単にするため、メモリダイヤルに登録されている発信先のメールアドレスからしか、メッセージが着信されないものとして説明する。
図５（ａ）に示すメッセージ発信は、メッセージ作成ボタンの押圧検出で起動する。
Ｓ１０１において、本装置の使用者は、音声にてメッセージを入力する。Ｓ１０２において、表示器（図１の２１、図３の６１）にメッセージを表示し、Ｓ１０３において、メッセージ作成ボタン１３（図１）の再押圧が検出されるまでは、Ｓ１０１〜Ｓ１０３を繰り返す。
【００３２】
Ｓ１０４に抜けたときに、メッセージ読み上げおよび位置登録ボタン（図１の１４）の押圧が検出されたときには、Ｓ１０５において入力メッセージを読み上げる。Ｓ１０７において読み上げが終了したときは、Ｓ１０６に処理を進める。
Ｓ１０６においては、いずれか１つの発信ボタン４１ａ〜４１ｅ，１５，１６（図１）の押圧が検出されたときには、Ｓ１０８において発信ボタンの登録名を読み上げ、Ｓ１０９において、同じ発信ボタンの再押圧が検出されればＳ１１０に処理を進め、作成されたメッセージを、押圧された発信ボタンに登録されたメールアドレスを指定して、メールサーバに送信する。
【００３３】
図５（ｂ）に示すメッセージ着信時の動作は、ネットワークセンター（メールサーバ）側からのメッセージ着信通知を検出することにより起動する。
Ｓ１２１において、着信表示（報知音・着信メロディ、音声アナウンスなど）および、メッセージ読み上げおよび位置登録ボタン１４の点滅によってメッセージの着信を使用者に知らせる。
また、発信元のメールアドレスを抽出し、この発信元のメールアドレスが、メモリダイヤルの登録部に登録されている発信相手のメールアドレスの１つに該当するか否かを判定し、該当すれば、そのメールアドレスが割り当てられた発信ボタン４１ａ〜４１ｅ，１５，１６を特定し、そのボタンを点滅させる。
Ｓ１２２において、該当する発信ボタンに登録された登録名を読み上げる。
Ｓ１２３において、表示パネルにメッセージを表示し、Ｓ１２４において、メッセージ読み上げボタンの押圧が検出されたときは、Ｓ１２５において入力メッセージの読み上げが行われ、Ｓ１２６において、読み上げの終了が検出されるまでは、Ｓ１２５に処理を戻す。
【００３４】
図４（ｂ）および図５（ｂ）を参照した説明では、電話またはメッセージの発信元は、発信ボタンに登録された発信先の電話番号あるいはメールアドレスに限られていることを前提に説明した。しかし、現実には、他の発信者から電話やメッセージが着信する場合もある。
このような場合、別に着信ボタンを設けるなどして着信を可能としてもよい。
あるいは、電話またはメッセージの発信元は、発信ボタンに登録された発信先の電話番号あるいはメールアドレスに限って着信するようにしてもよい。
電話の着信の場合、例えば、従来の「指定着信許可」機能を用い、メモリダイヤルに登録されている電話番号からの呼び出しに限って着信を受け付けるようにする。
メッセージの着信の場合、例えば、従来の「受信許可設定」機能を用い、ネットワークセンター側に、メモリダイヤルに登録されているメールアドレスのみ、受信許可をするように、ネットワークセンターに登録すればよい。
【００３５】
図６は、図１に示したメモリダイヤルカートリッジの第２，第３の例の裏面パネルを示す外観図である。表面パネルの側は、図２（ａ）と同様である。
図中、図２と同様な部分には同じ符号を付している。ただし、各具体例によって、本装置全体の実寸法が変更される。
図６（ａ）に示す第２の例は、メモリダイヤルカートリッジ４を取り外した状態において、メモリダイヤルカートリッジ４側で、表面パネルに設けられた発信ボタン４１ａ〜４１ｅを用いたメモリダイヤル発信、着信、メッセージ作成、メッセージ読み上げの機能を持たせたものである。
この場合、押しボタンダイヤル部４３は、メモリダイヤル登録専用である。
【００３６】
１３１は図１の１９と同等のジャック、１３２はスピーカ、１３３はマイクロフォンである。１３４はメッセージ作成ボタン、１３５はメッセージ読み上げおよび位置登録ボタンである。
メモリダイヤルカートリッジ４は、基台部１と図示しないケーブルで接続したり、ワイヤレスで接続したりすることができる。
また、メモリダイヤルカートリッジ４が、基台部１とは独立して、単独でメモリダイヤル発信や着信を可能とするために必要なハードウエアを内蔵させてもよい。
【００３７】
図６（ｂ）に示す第３の例は、メモリダイヤルカートリッジ４を取り外した状態において、メモリダイヤルカートリッジ４側で、通常の携帯電話器の機能を全て持たせたものである。表示器１３６を有し、押しボタンダイヤル部１３７は、通常の携帯電話機と同じ機能ボタンを備えている。これらのボタンでアルファベットの入力も可能である。
【００３８】
従って、発信時にその都度手入力で入力される、電話番号およびまたはメールアドレスへの発信機能を有している。この場合、押しボタンダイヤル部１３７は、電話番号およびまたはメールアドレスの手入力用のものであり、かつ、登録用の押しボタンダイヤル部（図２，図６の４３）と兼用される。
表面パネルに設けられた発信ボタン４１ａ〜４１ｅを用いたメモリダイヤル発信の機能も備えている。
メッセージ作成、メッセージ読み上げの機能は、押しボタンダイヤル部１３７を用いて、所定の機能選択操作をすることによって可能となる。
【００３９】
その結果、メモリダイヤルカートリッジ４を図１の基台部１に装着して一体化した状態では、発信ボタンによる簡単な発信をすることができ、また、テレビ電話に適した大画面構成の表示器も使用できる携帯電話機となる。
一方、メモリダイヤルカートリッジ４を取り外した状態では、通常の携帯電話機と同等の発信機能を含め、多様な機能を選択することができる携帯電話機となる。
図６（ａ）の例と同様に、メモリダイヤルカートリッジ４は、基台部１と図示しないケーブルで接続したり、ワイヤレスで接続したりすることができる。
また、メモリダイヤルカートリッジ４が、基台部１とは独立して、単独で発着信や多様な機能を実現するために必要なハードウエアを内蔵させてもよい。
【００４０】
上述した説明では、携帯電話機は、卓上型で使用することを前提に説明したが、取付けアダプターを用いることにより、車椅子や介護ベッドに取り付けることもできる。この場合、複合介護システムを構築することができる。例えば、血圧測定や血糖値測定、心電図測定の結果を収集し、測定結果をメッセージに入れて、サービスセンターに発信したり、カメラで使用者やその周囲を撮影した画像をメッセージに入れて発信したり、あるいはテレビ電話で発信したりすることができる。
【００４１】
折りたたみ型の車椅子に本装置を取り付けるときには、側面に伸縮自在なアームを取付け、その先に受け皿部を設け、この受け皿部に本装置を挟み込むような形で取り付ける。
電動車椅子に取り付ける場合は、ハンドルに取り付けられているバックミラーの支柱にアームを取付け、その先に受け皿部を設け、この受け皿部に本装置を挟み込む。バックミラーが左右にある場合は、左右のバックミラーの支柱間に本装置用のアームを取付ければ、取付けが安定する。
【００４２】
上述した説明では、電話機能にメッセージの発着信機能をもたせたが、電話機能に限定されたものでもよい。
また、上述した説明では、携帯電話機について説明したが、電話番号およびまたはメールアドレスを用いるものであれば、PHS（Personal Handy hone System）、固定電話用、メッセージ通信専用の通信端末機であってもよい。
【図面の簡単な説明】
【００４３】
【図１】本発明の実施の一形態を説明するための携帯電話機の外観図である。
【図２】図１に示したメモリダイヤルカートリッジの第１例を示す外観図である。
【図３】本発明の実施の一形態の、ハードウエア構成を示すブロック図である。
【図４】本発明の実施の一形態の、電話モードでの動作例を示すフローチャートである。
【図５】本発明の実施の一形態の、メッセージモードでの動作例を示すフローチャートである。
【図６】図１に示したメモリダイヤルカートリッジの第２，第３の例の裏面パネルを示す外観図である。
【符号の説明】
【００４４】
１…基台部、２…蓋部、３…ヒンジ結合部、４…メモリダイヤルカートリッジ、４１ａ〜４１ｅ…発信ボタン、１５，１６…加入者特殊番号用の発信ボタン、４３…押しボタンダイヤル部
【図１】
2005175928.tif 000003
【図２】
2005175928.tif 000004
【図３】
2005175928.tif 000005
【図４】
2005175928.tif 000006
【図５】
2005175928.tif 000007
【図６】
2005175928.tif 000008